【事件の表示】
　特願２００３−　９３４５０「印刷制御装置及び印刷制御プログラム」拒絶査定不服審判事件〔平成１６年１０月２８日出願公開、特開２００４−２９９１７７〕について、次のとおり審決する。
【結　論】
　本件審判の請求は、成り立たない。
【理　由】
第１　手続の経緯 
　本願は、平成１５年３月３１日の特許出願であって、拒絶理由通知に応答して平成２０年１０月２４日付けで明細書についての手続補正がされ、平成２１年３月２４日付けで拒絶査定がされ、これを不服として平成２１年４月３０日付けで審判請求がされるとともに、平成２１年６月１日付けで明細書についての手続補正がされ、前置報告の内容を通知する主旨の当審による平成２２年４月２日付けの審尋に対して、平成２２年６月７日付けで回答がされたものである。 
 　 
第２　平成２１年６月１日付けの手続補正について
　平成２１年６月１日付けの手続補正（以下「本件補正」という。）は、特許請求の範囲についての補正を含み、該補正は、補正前（平成２０年１０月２４日付け手続補正書参照）に 
「【請求項１】
　ケーブル状部材に巻き付けられるケーブル用ラベルに印刷されるべき文字列を記憶するための文字列記憶手段と、
　前記文字列記憶手段に記憶された文字列の印刷イメージを生成するための印刷イメージ生成手段と、
　複数のケーブル状部材について、識別情報と、各ケーブル状部材に巻き付けられるケーブル用ラベルの全体又はその一部の形状に関する情報である形状情報とを対応づけて記憶するためのケーブル情報記憶手段と、
　前記ケーブル情報記憶手段に記憶された複数のケーブル状部材の識別情報のいずれかに対応したケーブル状部材がユーザによって選択されたときに、前記ケーブル情報記憶手段に記憶された当該選択されたケーブル状部材に対応するケーブル用ラベルの前記全体又はその一部の形状に対応した範囲内及びこの範囲に隣接した範囲内の少なくともいずれか一方に、前記印刷イメージ生成手段が生成した印刷イメージを配置するための印刷イメージ配置手段とを備え、
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージ中に、配置方向が他と１８０°異なるものを少なくとも１個含ませることを特徴とする印刷制御装置。
【請求項２】
　ケーブル状部材に巻き付けられるケーブル用ラベルに印刷されるべき文字列を記憶するための文字列記憶手段と、
　前記文字列記憶手段に記憶された文字列の印刷イメージを生成するための印刷イメージ生成手段と、
　複数のケーブル状部材について、識別情報と、各ケーブル状部材に係る寸法とを対応づけて記憶するためのケーブル情報記憶手段と、
　前記ケーブル情報記憶手段に記憶された複数のケーブル状部材の識別情報のいずれかに対応したケーブル状部材がユーザによって選択されたときに、前記ケーブル情報記憶手段に記憶された、当該選択されたケーブル状部材に係る寸法に基づいて、ケーブル用ラベルの全体又はその一部の形状を決定するラベル形状決定手段と、
　前記印刷イメージ生成手段が生成した印刷イメージを、前記ラベル形状決定手段が決定したケーブル用ラベルの前記全体又はその一部の形状に対応した範囲内及びこの範囲に隣接した範囲内の少なくともいずれか一方に配置するための印刷イメージ配置手段とを備え、
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージ中に、配置方向が他と１８０°異なるものを少なくとも１個含ませることを特徴とする印刷制御装置。
【請求項３】
　ケーブル用ラベルの前記全体又はその一部の形状に対応した範囲に隣接した範囲の形状を決定する隣接範囲形状決定手段をさらに備えていることを特徴とする請求項２に記載の印刷制御装置。
【請求項４】
　前記隣接範囲形状決定手段は、前記隣接した範囲の形状をケーブル状部材の寸法に応じて変化させることを特徴とする請求項３に記載の印刷制御装置。
【請求項５】
　ケーブル状部材に係る寸法がケーブル状部材の外径値であることを特徴とする請求項２〜４のいずれか１項に記載の印刷制御装置。
【請求項６】
　前記ケーブル情報記憶手段の記憶内容は、ユーザの操作に基づいて書換可能であることを特徴とする請求項１〜５のいずれか１項に記載の印刷制御装置。
【請求項７】
　前記ケーブル情報記憶手段に記憶されたケーブル状部材の識別情報をディスプレイに表示させるための制御を行う識別情報表示制御手段をさらに備えていることを特徴とする請求項１〜６のいずれか１項に記載の印刷制御装置。
【請求項８】
　前記識別情報表示制御手段は、ユーザによるケーブル状部材の選択頻度又は選択順序に応じて、ディスプレイにおけるケーブル状部材の識別情報の表示順序を変更することを特徴とする請求項７に記載の印刷制御装置。
【請求項９】
　ケーブル用ラベルの前記全体又はその一部の形状を微調整する微調整手段をさらに備えていることを特徴とする請求項１〜８のいずれか１項に記載の印刷制御装置。
【請求項１０】
　前記微調整手段は、個々のケーブル状部材についてケーブル用ラベルの前記全体又はその一部の形状を独立に微調整可能であることを特徴とする請求項９に記載の印刷制御装置。
【請求項１１】
　前記微調整手段は、複数のケーブル状部材についてケーブル用ラベルの前記全体又はその一部の形状を一括して微調整可能であることを特徴とする請求項９に記載の印刷制御装置。
【請求項１２】
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように配置することを特徴とする請求項１〜１１のいずれか１項に記載の印刷制御装置。
【請求項１３】
　前記印刷イメージ配置手段は、ケーブル用ラベルの前記全体又はその一部の形状に対応した範囲内及びこの範囲に隣接した範囲内の少なくともいずれか一方に含まれる印刷範囲のほぼ中央に、前記印刷イメージ生成手段が生成した印刷イメージを、ケーブル用ラベルの幅方向に沿うように配置することを特徴とする請求項１〜１１のいずれか１項に記載の印刷制御装置。
【請求項１４】
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した複数個の印刷イメージを、ケーブル用ラベルの幅方向に沿うように均等間隔で配置することを特徴とする請求項１〜１１のいずれか１項に記載の印刷制御装置。
【請求項１５】
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージの配置方向が交互に１８０°異なるものとなるようにすることを特徴とする請求項１〜１１のいずれか１項に記載の印刷制御装置。
【請求項１６】
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージのうち最も外側に配置される２つの印刷イメージの配置方向が互いに１８０°異なるものとなるようにすることを特徴とする請求項１〜１１のいずれか１項に記載の印刷制御装置。
【請求項１７】
　ケーブル用ラベルの前記全体又はその一部の形状に対応した範囲内及びこの範囲に隣接した範囲内の少なくともいずれか一方に配置される印刷イメージのサイズを、前記ケーブル情報記憶手段に記憶された、ユーザによって選択されたケーブル状部材に係る寸法に応じて決定するための文字サイズ決定手段をさらに備えていることを特徴とする請求項１〜１６のいずれか１項に記載の印刷制御装置。
【請求項１８】
　前記ケーブル情報記憶手段が不揮発性記憶装置を含んでいることを特徴とする請求項１〜１７のいずれか１項に記載の印刷制御装置。
【請求項１９】
　ケーブル状部材に巻き付けられるケーブル用ラベルに印刷されるべき文字列を記憶するための文字列記憶手段、
　前記文字列記憶手段に記憶された文字列の印刷イメージを生成するための印刷イメージ生成手段、
　複数のケーブル状部材について、識別情報と、各ケーブル状部材に巻き付けられるケーブル用ラベルの全体又はその一部の形状に関する情報である形状情報とを対応づけて記憶するためのケーブル情報記憶手段、及び、
　前記ケーブル情報記憶手段に記憶された複数のケーブル状部材の識別情報のいずれかに対応したケーブル状部材がユーザによって選択されたときに、前記ケーブル情報記憶手段に記憶された当該選択されたケーブル状部材に対応するケーブル用ラベルの前記全体又はその一部の形状に対応した範囲内及びこの範囲に隣接した範囲内の少なくともいずれか一方に、前記印刷イメージ生成手段が生成した印刷イメージを配置するための印刷イメージ配置手段としてコンピュータを機能させ、
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージ中に、配置方向が他と１８０°異なるものを少なくとも１個含ませることを特徴とする印刷制御プログラム。
【請求項２０】
　ケーブル状部材に巻き付けられるケーブル用ラベルに印刷されるべき文字列を記憶するための文字列記憶手段、
　前記文字列記憶手段に記憶された文字列の印刷イメージを生成するための印刷イメージ生成手段、
　複数のケーブル状部材について、識別情報と、各ケーブル状部材に係る寸法とを対応づけて記憶するためのケーブル情報記憶手段、
　前記ケーブル情報記憶手段に記憶された複数のケーブル状部材の識別情報のいずれかに対応したケーブル状部材がユーザによって選択されたときに、前記ケーブル情報記憶手段に記憶された、当該選択されたケーブル状部材に係る寸法に基づいて、ケーブル用ラベルの全体又はその一部の形状を決定するラベル形状決定手段、及び、
　前記印刷イメージ生成手段が生成した印刷イメージを、前記ラベル形状決定手段が決定したケーブル用ラベルの前記全体又はその一部の形状に対応した範囲内及びこの範囲に隣接した範囲内の少なくともいずれか一方に配置するための印刷イメージ配置手段としてコンピュータを機能させ、
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージ中に、配置方向が他と１８０°異なるものを少なくとも１個含ませることを特徴とする印刷制御プログラム。
【請求項２１】
　ケーブル用ラベルの前記全体又はその一部の形状に対応した範囲に隣接した範囲の形状を決定する隣接範囲形状決定手段としてコンピュータをさらに機能させることを特徴とする請求項２０に記載の印刷制御プログラム。
【請求項２２】
　前記隣接範囲形状決定手段は、前記隣接した範囲の形状をケーブル状部材の寸法に応じて変化させることを特徴とする請求項２１に記載の印刷制御プログラム。
【請求項２３】
　ケーブル状部材に係る寸法がケーブル状部材の外径値であることを特徴とする請求項２０〜２２のいずれか１項に記載の印刷制御プログラム。
【請求項２４】
　前記ケーブル情報記憶手段の記憶内容は、ユーザの操作に基づいて書換可能であることを特徴とする請求項１９〜２３のいずれか１項に記載の印刷制御プログラム。
【請求項２５】
　前記ケーブル情報記憶手段に記憶されたケーブル状部材の識別情報をディスプレイに表示させるための制御を行う識別情報表示制御手段をさらに備えていることを特徴とする請求項１９〜２４のいずれか１項に記載の印刷制御プログラム。
【請求項２６】
　前記識別情報表示制御手段は、ユーザによるケーブル状部材の選択頻度又は選択順序に応じて、ディスプレイにおけるケーブル状部材の識別情報の表示順序を変更することを特徴とする請求項２５に記載の印刷制御プログラム。
【請求項２７】
　ケーブル用ラベルの前記全体又はその一部の形状を微調整する微調整手段をさらに備えていることを特徴とする請求項１９〜２６のいずれか１項に記載の印刷制御プログラム。
【請求項２８】
　前記微調整手段は、個々のケーブル状部材についてケーブル用ラベルの前記全体又はその一部の形状を独立に微調整可能であることを特徴とする請求項２７に記載の印刷制御プログラム。
【請求項２９】
　前記微調整手段は、複数のケーブル状部材についてケーブル用ラベルの前記全体又はその一部の形状を一括して微調整可能であることを特徴とする請求項２７に記載の印刷制御プログラム。
【請求項３０】
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように配置することを特徴とする請求項１９〜２９のいずれか１項に記載の印刷制御プログラム。
【請求項３１】
　前記印刷イメージ配置手段は、ケーブル用ラベルの前記全体又はその一部の形状に対応した範囲内及びこの範囲に隣接した範囲内の少なくともいずれか一方に含まれる印刷範囲のほぼ中央に、前記印刷イメージ生成手段が生成した印刷イメージを、ケーブル用ラベルの幅方向に沿うように配置することを特徴とする請求項１９〜２９のいずれか１項に記載の印刷制御プログラム。
【請求項３２】
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した複数個の印刷イメージを、ケーブル用ラベルの幅方向に沿うように均等間隔で配置することを特徴とする請求項１９〜２９のいずれか１項に記載の印刷制御プログラム。
【請求項３３】
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージの配置方向が交互に１８０°異なるものとなるようにすることを特徴とする請求項１９〜２９のいずれか１項に記載の印刷制御プログラム。
【請求項３４】
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージのうち最も外側に配置される２つの印刷イメージの配置方向が互いに１８０°異なるものとなるようにすることを特徴とする請求項１９〜２９のいずれか１項に記載の印刷制御プログラム。
【請求項３５】
　ケーブル用ラベルの前記全体又はその一部の形状に対応した範囲内及びこの範囲に隣接した範囲内の少なくともいずれか一方に配置される印刷イメージのサイズを、前記ケーブル情報記憶手段に記憶された、ユーザによって選択されたケーブル状部材に係る寸法に応じて決定するための文字サイズ決定手段としてコンピュータをさらに機能させることを特徴とする請求項１９〜３４のいずれか１項に記載の印刷制御プログラム。」
とあったものを、 
「【請求項１】
　ケーブル状部材に巻き付けられるケーブル用ラベルに印刷されるべき文字列を記憶するための文字列記憶手段と、
　前記文字列記憶手段に記憶された文字列の印刷イメージを生成するための印刷イメージ生成手段と、
　複数のケーブル状部材について、識別情報と、各ケーブル状部材に巻き付けられるケーブル用ラベルの全体又はその一部の形状に関する情報である形状情報とを対応づけて記憶するためのケーブル情報記憶手段と、
　前記ケーブル情報記憶手段に記憶された複数のケーブル状部材の識別情報のいずれかに対応したケーブル状部材がユーザによって選択されたときに、前記ケーブル情報記憶手段に記憶された当該選択されたケーブル状部材に対応するケーブル用ラベルの前記全体又はその一部の形状を微調整する微調整手段と、
　前記微調整手段が微調整したケーブル用ラベルの前記全体又はその一部の形状に対応した範囲内及びこの範囲に隣接した範囲内の少なくともいずれか一方に、前記印刷イメージ生成手段が生成した印刷イメージを配置するための印刷イメージ配置手段とを備え、
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージ中に、配置方向が他と１８０°異なるものを少なくとも１個含ませることを特徴とする印刷制御装置。
【請求項２】
　ケーブル状部材に巻き付けられるケーブル用ラベルに印刷されるべき文字列を記憶するための文字列記憶手段と、
　前記文字列記憶手段に記憶された文字列の印刷イメージを生成するための印刷イメージ生成手段と、
　複数のケーブル状部材について、識別情報と、各ケーブル状部材に係る寸法とを対応づけて記憶するためのケーブル情報記憶手段と、
　前記ケーブル情報記憶手段に記憶された複数のケーブル状部材の識別情報のいずれかに対応したケーブル状部材がユーザによって選択されたときに、前記ケーブル情報記憶手段に記憶された、当該選択されたケーブル状部材に係る寸法に基づいて、ケーブル用ラベルの全体又はその一部の形状を決定するラベル形状決定手段と、
　前記ラベル形状決定手段がケーブル用ラベルの全体又はその一部の形状を決定する際に、ケーブル用ラベルの前記全体又はその一部の形状を微調整する微調整手段と、
　前記印刷イメージ生成手段が生成した印刷イメージを、前記ラベル形状決定手段が決定し、前記微調整手段が微調整したケーブル用ラベルの前記全体又はその一部の形状に対応した範囲内及びこの範囲に隣接した範囲内の少なくともいずれか一方に配置するための印刷イメージ配置手段とを備え、
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージ中に、配置方向が他と１８０°異なるものを少なくとも１個含ませることを特徴とする印刷制御装置。
【請求項３】
　ケーブル用ラベルの前記全体又はその一部の形状に対応した範囲に隣接した範囲の形状を決定する隣接範囲形状決定手段をさらに備えていることを特徴とする請求項２に記載の印刷制御装置。
【請求項４】
　前記隣接範囲形状決定手段は、前記隣接した範囲の形状をケーブル状部材の寸法に応じて変化させることを特徴とする請求項３に記載の印刷制御装置。
【請求項５】
　ケーブル状部材に係る寸法がケーブル状部材の外径値であることを特徴とする請求項２〜４のいずれか１項に記載の印刷制御装置。
【請求項６】
　前記ケーブル情報記憶手段の記憶内容は、ユーザの操作に基づいて書換可能であることを特徴とする請求項１〜５のいずれか１項に記載の印刷制御装置。
【請求項７】
　前記ケーブル情報記憶手段に記憶されたケーブル状部材の識別情報をディスプレイに表示させるための制御を行う識別情報表示制御手段をさらに備えていることを特徴とする請求項１〜６のいずれか１項に記載の印刷制御装置。
【請求項８】
　前記識別情報表示制御手段は、ユーザによるケーブル状部材の選択頻度又は選択順序に応じて、ディスプレイにおけるケーブル状部材の識別情報の表示順序を変更することを特徴とする請求項７に記載の印刷制御装置。
【請求項９】
　前記微調整手段は、個々のケーブル状部材についてケーブル用ラベルの前記全体又はその一部の形状を独立に微調整可能であることを特徴とする請求項１〜８のいずれか１項に記載の印刷制御装置。
【請求項１０】
　前記微調整手段は、複数のケーブル状部材についてケーブル用ラベルの前記全体又はその一部の形状を一括して微調整可能であることを特徴とする請求項１〜８のいずれか１項に記載の印刷制御装置。
【請求項１１】
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように配置することを特徴とする請求項１〜１０のいずれか１項に記載の印刷制御装置。
【請求項１２】
　前記印刷イメージ配置手段は、ケーブル用ラベルの前記全体又はその一部の形状に対応した範囲内及びこの範囲に隣接した範囲内の少なくともいずれか一方に含まれる印刷範囲のほぼ中央に、前記印刷イメージ生成手段が生成した印刷イメージを、ケーブル用ラベルの幅方向に沿うように配置することを特徴とする請求項１〜１０のいずれか１項に記載の印刷制御装置。
【請求項１３】
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した複数個の印刷イメージを、ケーブル用ラベルの幅方向に沿うように均等間隔で配置することを特徴とする請求項１〜１０のいずれか１項に記載の印刷制御装置。
【請求項１４】
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージの配置方向が交互に１８０°異なるものとなるようにすることを特徴とする請求項１〜１０のいずれか１項に記載の印刷制御装置。
【請求項１５】
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージのうち最も外側に配置される２つの印刷イメージの配置方向が互いに１８０°異なるものとなるようにすることを特徴とする請求項１〜１０のいずれか１項に記載の印刷制御装置。
【請求項１６】
　ケーブル用ラベルの前記全体又はその一部の形状に対応した範囲内及びこの範囲に隣接した範囲内の少なくともいずれか一方に配置される印刷イメージのサイズを、前記ケーブル情報記憶手段に記憶された、ユーザによって選択されたケーブル状部材に係る寸法に応じて決定するための文字サイズ決定手段をさらに備えていることを特徴とする請求項１〜１５のいずれか１項に記載の印刷制御装置。
【請求項１７】
　前記ケーブル情報記憶手段が不揮発性記憶装置を含んでいることを特徴とする請求項１〜１６のいずれか１項に記載の印刷制御装置。
【請求項１８】
　ケーブル状部材に巻き付けられるケーブル用ラベルに印刷されるべき文字列を記憶するための文字列記憶手段、
　前記文字列記憶手段に記憶された文字列の印刷イメージを生成するための印刷イメージ生成手段、
　複数のケーブル状部材について、識別情報と、各ケーブル状部材に巻き付けられるケーブル用ラベルの全体又はその一部の形状に関する情報である形状情報とを対応づけて記憶するためのケーブル情報記憶手段、
　前記ケーブル情報記憶手段に記憶された複数のケーブル状部材の識別情報のいずれかに対応したケーブル状部材がユーザによって選択されたときに、前記ケーブル情報記憶手段に記憶された当該選択されたケーブル状部材に対応するケーブル用ラベルの前記全体又はその一部の形状を微調整する微調整手段、及び、
　前記微調整手段が微調整したケーブル用ラベルの前記全体又はその一部の形状に対応した範囲内及びこの範囲に隣接した範囲内の少なくともいずれか一方に、前記印刷イメージ生成手段が生成した印刷イメージを配置するための印刷イメージ配置手段としてコンピュータを機能させ、
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージ中に、配置方向が他と１８０°異なるものを少なくとも１個含ませることを特徴とする印刷制御プログラム。
【請求項１９】
　ケーブル状部材に巻き付けられるケーブル用ラベルに印刷されるべき文字列を記憶するための文字列記憶手段、
　前記文字列記憶手段に記憶された文字列の印刷イメージを生成するための印刷イメージ生成手段、
　複数のケーブル状部材について、識別情報と、各ケーブル状部材に係る寸法とを対応づけて記憶するためのケーブル情報記憶手段、
　前記ケーブル情報記憶手段に記憶された複数のケーブル状部材の識別情報のいずれかに対応したケーブル状部材がユーザによって選択されたときに、前記ケーブル情報記憶手段に記憶された、当該選択されたケーブル状部材に係る寸法に基づいて、ケーブル用ラベルの全体又はその一部の形状を決定するラベル形状決定手段、
　前記ラベル形状決定手段がケーブル用ラベルの全体又はその一部の形状を決定する際に、ケーブル用ラベルの前記全体又はその一部の形状を微調整する微調整手段、及び、
　前記印刷イメージ生成手段が生成した印刷イメージを、前記ラベル形状決定手段が決定し、前記微調整手段が微調整したケーブル用ラベルの前記全体又はその一部の形状に対応した範囲内及びこの範囲に隣接した範囲内の少なくともいずれか一方に配置するための印刷イメージ配置手段としてコンピュータを機能させ、
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージ中に、配置方向が他と１８０°異なるものを少なくとも１個含ませることを特徴とする印刷制御プログラム。
【請求項２０】
　ケーブル用ラベルの前記全体又はその一部の形状に対応した範囲に隣接した範囲の形状を決定する隣接範囲形状決定手段としてコンピュータをさらに機能させることを特徴とする請求項１９に記載の印刷制御プログラム。
【請求項２１】
　前記隣接範囲形状決定手段は、前記隣接した範囲の形状をケーブル状部材の寸法に応じて変化させることを特徴とする請求項２０に記載の印刷制御プログラム。
【請求項２２】
　ケーブル状部材に係る寸法がケーブル状部材の外径値であることを特徴とする請求項１９〜２１のいずれか１項に記載の印刷制御プログラム。
【請求項２３】
　前記ケーブル情報記憶手段の記憶内容は、ユーザの操作に基づいて書換可能であることを特徴とする請求項１８〜２２のいずれか１項に記載の印刷制御プログラム。
【請求項２４】
　前記ケーブル情報記憶手段に記憶されたケーブル状部材の識別情報をディスプレイに表示させるための制御を行う識別情報表示制御手段をさらに備えていることを特徴とする請求項１８〜２３のいずれか１項に記載の印刷制御プログラム。
【請求項２５】
　前記識別情報表示制御手段は、ユーザによるケーブル状部材の選択頻度又は選択順序に応じて、ディスプレイにおけるケーブル状部材の識別情報の表示順序を変更することを特徴とする請求項２４に記載の印刷制御プログラム。
【請求項２６】
　前記微調整手段は、個々のケーブル状部材についてケーブル用ラベルの前記全体又はその一部の形状を独立に微調整可能であることを特徴とする請求項１８〜２５のいずれか１項に記載の印刷制御プログラム。
【請求項２７】
　前記微調整手段は、複数のケーブル状部材についてケーブル用ラベルの前記全体又はその一部の形状を一括して微調整可能であることを特徴とする請求項１８〜２５のいずれか１項に記載の印刷制御プログラム。
【請求項２８】
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように配置することを特徴とする請求項１８〜２７のいずれか１項に記載の印刷制御プログラム。
【請求項２９】
　前記印刷イメージ配置手段は、ケーブル用ラベルの前記全体又はその一部の形状に対応した範囲内及びこの範囲に隣接した範囲内の少なくともいずれか一方に含まれる印刷範囲のほぼ中央に、前記印刷イメージ生成手段が生成した印刷イメージを、ケーブル用ラベルの幅方向に沿うように配置することを特徴とする請求項１８〜２７のいずれか１項に記載の印刷制御プログラム。
【請求項３０】
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した複数個の印刷イメージを、ケーブル用ラベルの幅方向に沿うように均等間隔で配置することを特徴とする請求項１８〜２７のいずれか１項に記載の印刷制御プログラム。
【請求項３１】
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージの配置方向が交互に１８０°異なるものとなるようにすることを特徴とする請求項１８〜２７のいずれか１項に記載の印刷制御プログラム。
【請求項３２】
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージのうち最も外側に配置される２つの印刷イメージの配置方向が互いに１８０°異なるものとなるようにすることを特徴とする請求項１８〜２７のいずれか１項に記載の印刷制御プログラム。
【請求項３３】
　ケーブル用ラベルの前記全体又はその一部の形状に対応した範囲内及びこの範囲に隣接した範囲内の少なくともいずれか一方に配置される印刷イメージのサイズを、前記ケーブル情報記憶手段に記憶された、ユーザによって選択されたケーブル状部材に係る寸法に応じて決定するための文字サイズ決定手段としてコンピュータをさらに機能させることを特徴とする請求項１８〜３２のいずれか１項に記載の印刷制御プログラム。」
と補正するものである。 
 　 
　補正後の請求項１は、補正前の、請求項１を引用する請求項９に対応する。
　補正後の請求項２は、補正前の、請求項２を引用する請求項９に対応する。
　補正後の請求項３は、補正前の、請求項３を引用する請求項９に対応する。
　補正後の請求項４は、補正前の、請求項４を引用する請求項９に対応する。
　補正後の請求項５は、補正前の、請求項５を引用する請求項９に対応する。
　補正後の請求項６は、補正前の、請求項６を引用する請求項９に対応する。
　補正後の請求項７は、補正前の、請求項７を引用する請求項９に対応する。
　補正後の請求項８は、補正前の、請求項８を引用する請求項９に対応する。
　補正後の請求項には、補正前の請求項９に対応する請求項が存在しない。
　補正後の請求項９は、補正前の請求項１０に対応する。
　補正後の請求項１０は、補正前の請求項１１に対応する。
　補正後の請求項１１は、補正前の、請求項９〜１１を引用する請求項１２に対応する。
　補正後の請求項１２は、補正前の、請求項９〜１１を引用する請求項１３に対応する。
　補正後の請求項１３は、補正前の、請求項９〜１１を引用する請求項１４に対応する。
　補正後の請求項１４は、補正前の、請求項９〜１１を引用する請求項１５に対応する。
　補正後の請求項１５は、補正前の、請求項９〜１１を引用する請求項１６に対応する。
　補正後の請求項１６は、補正前の、請求項９〜１１を引用する請求項１７及び請求項９〜１１を引用する請求項１２〜１６を引用する請求項１７に対応する。
　補正後の請求項１７は、補正前の、請求項９〜１１を引用する請求項１８及び請求項９〜１１を引用する請求項１２〜１７を引用する請求項１８に対応する。
　補正後の請求項１８は、補正前の、請求項１９を引用する請求項２７に対応する。
　補正後の請求項１９は、補正前の、請求項２０を引用する請求項２７に対応する。
　補正後の請求項２０は、補正前の、請求項２１を引用する請求項２７に対応する。
　補正後の請求項２１は、補正前の、請求項２２を引用する請求項２７に対応する。
　補正後の請求項２２は、補正前の、請求項２３を引用する請求項２７に対応する。
　補正後の請求項２３は、補正前の、請求項２４を引用する請求項２７に対応する。
　補正後の請求項２４は、補正前の、請求項２５を引用する請求項２７に対応する。
　補正後の請求項２５は、補正前の、請求項２６を引用する請求項２７に対応する。
　補正後の請求項には、補正前の請求項２７に対応する請求項が存在しない。
　補正後の請求項２６は、補正前の請求項２８に対応する。
　補正後の請求項２７は、補正前の請求項２９に対応する。
　補正後の請求項２８は、補正前の、請求項２７〜２９を引用する請求項３０に対応する。
　補正後の請求項２９は、補正前の、請求項２７〜２９を引用する請求項３１及び請求項２７〜２９を引用する請求項３０を引用する請求項３１に対応する。
　補正後の請求項３０は、補正前の、請求項２７〜２９を引用する請求項３２及び請求項２７〜２９を引用する請求項３０〜３１を引用する請求項３２に対応する。
　補正後の請求項３１は、補正前の、請求項２７〜２９を引用する請求項３３及び請求項２７〜２９を引用する請求項３０〜３２を引用する請求項３３に対応する。
　補正後の請求項３２は、補正前の、請求項２７〜２９を引用する請求項３４及び請求項２７〜２９を引用する請求項３０〜３３を引用する請求項３４に対応する。
　補正後の請求項３３は、補正前の、請求項２７〜２９を引用する請求項３５及び請求項２７〜２９を引用する請求項３０〜３４を引用する請求項３５に対応する。
　
　してみると、本件補正による特許請求の範囲の補正は、補正前の請求項９及び請求項２７に記載された「ケーブル用ラベルの前記全体又はその一部の形状を微調整する微調整手段」を備えた発明に係る請求項以外の請求項を削除したことに相当する。
　 　 
　したがって、本件補正における特許請求の範囲の補正は、平成１８年法律第５５号改正附則第３条第１項によりなお従前の例によるとされる同法による改正前の特許法第１７条の２第４項第１号に掲げる請求項の削除を目的としたものと認められる。 
　また、本件補正は、願書に最初に添付した明細書及び図面に記載した事項の範囲内においてしたものと認められるから、平成１４年法律第２４号改正附則第３条第１項によりなお従前の例によるとされる同法による改正前の特許法第１７条の２第３項の規定に適合する。 
　
第３　本願発明
　上記のとおり、本件補正は適法であるので、本願の請求項１に係る発明は、平成２１年６月１日付けで補正された本願の請求項１に記載された次のとおりのものと認められる。
「ケーブル状部材に巻き付けられるケーブル用ラベルに印刷されるべき文字列を記憶するための文字列記憶手段と、
　前記文字列記憶手段に記憶された文字列の印刷イメージを生成するための印刷イメージ生成手段と、
　複数のケーブル状部材について、識別情報と、各ケーブル状部材に巻き付けられるケーブル用ラベルの全体又はその一部の形状に関する情報である形状情報とを対応づけて記憶するためのケーブル情報記憶手段と、
　前記ケーブル情報記憶手段に記憶された複数のケーブル状部材の識別情報のいずれかに対応したケーブル状部材がユーザによって選択されたときに、前記ケーブル情報記憶手段に記憶された当該選択されたケーブル状部材に対応するケーブル用ラベルの前記全体又はその一部の形状を微調整する微調整手段と、
　前記微調整手段が微調整したケーブル用ラベルの前記全体又はその一部の形状に対応した範囲内及びこの範囲に隣接した範囲内の少なくともいずれか一方に、前記印刷イメージ生成手段が生成した印刷イメージを配置するための印刷イメージ配置手段とを備え、
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージ中に、配置方向が他と１８０°異なるものを少なくとも１個含ませることを特徴とする印刷制御装置。」（以下「本願発明」という。 ） 
　
第４　引用発明
　原査定の拒絶の理由に引用され、本願の出願前に頒布された刊行物である特開平６−２４７４３１号公報（以下「引用例１」という。）には図と共に次の記載ア．〜オ．がある。
ア．「【請求項１】　コードの周囲に巻き付けた状態で使用されるコード用ラベルと、文字等の文書データよりなるテキストを作成するテキスト作成手段と、テキスト作成手段により作成されたテキストのテキストデータを記憶するテキストメモリと、テキストメモリに記憶されたテキストデータに従ってコード用ラベル上に文字等の印字を行なう印字手段とを有するコード用ラベル作成装置において、
　前記コード用ラベルをコードの周囲に巻き付ける際に、コード用ラベルに必要な巻代を設定する巻代設定手段と、
　前記テキスト作成手段により作成されたテキストに基づき前記印字手段を介して前記巻代設定手段により設定された巻代の両側に前記文字等の印字を行なうべく印字手段を制御する印字制御手段とを備えたことを特徴とするコード用ラベル作成装置。」
　
イ．「【００１８】・・・かかるＲＡＭ３４には図４に示すように各種のメモリが設けられている。
【００１９】図４において、テキストメモリ４１は、キーボード６から入力されたキャラクタに対応するコードデータを文書データ（テキスト）として記憶するものであり、また、イメージバッファ４２は、テキストメモリ４１に記憶されているテキストの文書データに対応してＣＧＲＯＭ３３から読み出されたドットパターンデータが展開されて記憶されるものである。更に、印字バッファ４３は印字時にイメージバッファ４２に記憶されたドットパターンデータが転送され記憶されるものであり、サーマルヘッド１１はかかる印字バッファ４３に記憶されているドットパターンデータに従ってドット印字を行なうものである。また、巻代メモリ４４は、電源コードの太さに対応して入力される巻代データ（後述する）を記憶するものである。」（「・・・」は省略した部分。以下同様。）
　
ウ．「【００３１】Ｓ３３では、サーマルヘッド１１を介してテキストメモリ４１中のテキストをテープ上に印字する。この後、巻代メモリ４４からＫＮ値を読み出し、読み出したＫＮ値に従って巻代長の１／２だけテープを送る（Ｓ３４）。そして、サーマルヘッド１１を介してテープの幅方向に直線を印字する（Ｓ３５）。この時点における印字サンプルが図７（Ａ）に示されている。図７（Ａ）は巻代Ｌの片側（図７（Ａ）中、左側）にテキスト（この場合、テキストは「テレビ」である）を印字し、巻代Ｌの中間位置に直線ｌを印字した印字サンプルを示す説明図である。
【００３２】次に、Ｓ３６において、再度巻代メモリ４４からＫＮ値を読み出すとともに、そのＫＮ値に従ってテープが巻代長の１／２だけ送られる。この後、再度テキストメモリ４１のテキストがテープ上に印字される（Ｓ３７）。この時点における印字サンプルが図７（Ｂ）に示されている。図７（Ｂ）は、図７（Ａ）の印字サンプルに加えて、巻代Ｌの右側にテキスト（「テレビ」）を印字した印字サンプルを示す説明図である。これにより、前記のように電源コードの太さに対応して設定された巻代Ｌの両側にテキストが印字されるとともに、巻代Ｌの中間位置にテープの幅方向に直線ｌが印字されてなるコード用ラベルが作成されるものである。このように作成されたコード用ラベルは、図８（Ａ）、（Ｂ）に示すように、電源コードＣの周囲に巻き付けられて使用されるものである。・・・」
　
エ．「【００３４】尚、本発明は前記実施例に限定されるものではなく、本発明の要旨を逸脱しない範囲内で種々の改良、変形が可能であることは勿論である。例えば、前記実施例では、ＲＯＭ３２に記憶されたテーブルから巻代値を読み出すとともに、その読み出された巻代値からコードの太さに対応する巻代値を選択、設定するようにしたが、巻代値はキーボード６上に設けられた数字キーを介して直接設定するようにしても良いことは明かである。また、巻代値を設定するのではなく、コードの太さ（直径）を入力することにより、この直径値から演算またはテーブル等により巻代値が設定されるようにしても良い。」
　　　
オ．図７（Ｂ）の記載からは、ラベルの長さ方向に沿うようにテキスト「テレビ」が印字されることが看取できる。
　
　上記ア．の「テキストメモリに記憶されたテキストデータに従ってコード用ラベル上に文字等の印字を行なう」点に関して、上記イ．には「イメージバッファ４２は、テキストメモリ４１に記憶されているテキストの文書データに対応してＣＧＲＯＭ３３から読み出されたドットパターンデータが展開されて記憶されるものである。」とあるから、上記ア．の「コード用ラベル作成装置」は、テキストデータをドットパターンデータに展開し、少なくともＣＧＲＯＭ３３とイメージバッファ４２とを含む、「ドットパターンデータ生成手段」を備えるといえる。
　　
　上記ア．の「巻代設定」は、上記ウ．によれば、「ＫＮ値」（上記イ．の「電源コードの太さに対応して入力される巻代データ」）に従って、巻代長の１／２だけテープを送る手順を２回繰り返して実行される。
　上記エ．によれば、巻代値自体を選択、設定するのではなく、コードの直径を入力することにより、この直径値からテーブルにより巻代値が設定されるようにしても良い。この場合、コードの直径値情報と、各直径値のコードに対応する巻代値とが、テーブルとしてＲＯＭ３２に記憶されることになる。
　
　上記ア．の「前記テキスト作成手段により作成されたテキストに基づき前記印字手段を介して前記巻代設定手段により設定された巻代の両側に前記文字等の印字を行なうべく印字手段を制御する印字制御手段」により、巻代の両側に（左右それぞれに１個ずつ合わせて）２個のテキストが印字される。
　上記ウ．が参照する図７（Ｂ）においては、巻代Ｌの左側と右側に各１個のテキスト「テレビ」が印字されている。
　
　してみるに、引用例１には、以下の発明が記載されていると認められる。
「コードに巻き付けられるコード用ラベルに印刷されるべき文字等の文書データよりなるテキストのテキストデータを記憶するためのテキストメモリと、
　前記テキストメモリに記憶されたテキストデータのドットパターンデータを生成するためのドットパターンデータ生成手段と、
　複数のコードについて、直径値と、各コードに巻き付けられるコード用ラベルの一部の形状に関する情報である巻代値とを対応づけて記憶するためのＲＯＭと、
　前記ＲＯＭに記憶された複数のコードの直径値のいずれかに対応したコードが選択されたときに、コード用ラベルの一部の形状に対応した巻代に隣接した巻代の両側に、前記ドットパターンデータ生成手段が生成したドットパターンデータを印字するための印字制御手段とを備え、
　前記印字制御手段は、コード用ラベルの一部の形状に対応した巻代に隣接した巻代の両側に、前記ドットパターンデータ生成手段が生成したドットパターンデータを、コード用ラベルの長さ方向に沿うように２個配置するコード用ラベル作成装置。」（以下「引用発明」という。）
　
第５　引用技術
　原査定の拒絶の理由に引用され、本願の出願前に頒布された刊行物である特開２００３−８９２４２号公報（以下「引用例２」という。）には図と共に次の記載あ．〜け．がある。
あ．「【請求項２】　下記の要件を備えたことを特徴とするテープ印字装置
（イ）余白部エリアと、当該余白部エリアの左右に設けられる印字データ部エリアと、各印字データ部エリアの隣に設けられる折り部エリアとで成るブロックを形成する形成手段を有すること。
（ロ）前記余白部エリア又は／及び印字データ部エリアの長さを設定する第１の設定手段を有すること。
（ハ）前記折り部エリアの中央部に、折り曲げ用の目印を設定する第２の設定手段を有すること。
（ニ）前記左右に設けられる印字データ部エリアの内、少なくともいずれか一方の印字データエリアに印字データを入力する入力手段を有すること。
（ホ）前記入力手段から入力された印字データをテープに印字する印字手段を有すること。
（ヘ）前記印字手段は、前記折り曲げ用の目印をテープに印字すること。」
　
い．「【請求項３】　下記の要件を備えたことを特徴とする請求項１に記載のテープ印字装置。
（イ）前記印字データ部エリアに入力された印字データを９０度回転させる回転手段を有すること。」
　
う．「【請求項５】　下記の要件を備えたことを特徴とする請求項３に記載のテープ印字装置。
（イ）前記コピー手段は、ブロックの一方の印字データ部エリアに入力された印字データを他方の印字データ部エリアにコピーする際に、腹合わせとなるようにコピーすること。
【請求項６】　下記の要件を備えたことを特徴とする請求項３に記載のテープ印字装置。
（イ）前記コピー手段は、ブロックの一方の印字データ部エリアに入力された印字データを他方の印字データ部エリアにコピーする際に、背合わせとなるようにコピーすること。」
　
え．「【０００１】
【産業上の利用分野】本発明は電源コード等に巻き付けた状態で取り付けられ、電源コードを識別するために使用されるコード用ラベルを作成する作成装置に関し、特に、簡単な操作により電源コード等に取付易いコード用ラベルを作成可能なコード用ラベル作成装置に関するものである。」
　
お．「【００２３】上記のように、制御装置３１は、前記ＲＯＭ３２，ＲＡＭ３６に記憶されたプログラム等をＣＰＵ３４によって処理することにより、余白部エリアと、当該余白部エリアの左右に設けられる印字データ部エリアと、各印字データ部エリアの隣に設けられる折り部エリアとで成るブロックを形成する形成手段と、余白部エリア又は／及び印字データ部エリアの長さを設定する手段（第１の設定手段）としての機能を有し、折り部エリアの中央部に、折り曲げ用の目印を設定する手段（第２の設定手段）としての機能を有する。また、制御装置３１は、印字データ部エリアに入力された印字データを９０度回転させる回転手段と、一方の印字データ部エリアに入力された印字データを他方の印字データ部エリアにコピーするコピー手段とを有し、このコピー手段は一方の印字データ部エリアに入力された印字データを他方の印字データ部エリアにコピーする際に、腹合わせ又は背合わせとなるようにコピーすることができる。」
　
か．「【００２９】前述のブロックの形成は、一つの例として、ディスプレイ装置７に表示される質問形式の表示を視認しながら余白部エリア９１と、印字データ部エリア９２ａ，９２ｂと、折り部エリア９３ａ，９３ｂとのそれぞれの長さを設定することにより作成することができる。例えば、機能キー６７と、キー群７１の適宜の文字キーを操作することにより、ブロック作成モードに設定され、「ケーブルの直径は？」の質問がディスプレイ装置７に表示される。これを視認した操作者がキー群７１の数字「１」、「２」の文字キーを操作すると、ケーブルの直径１２ｍｍに相当する長さの余白部エリア９１が設定される。次に、「印字データ部エリアの長さは？」の質問がディスプレイ装置７に表示される。これを視認した操作者がキー群７１の数字「４」、「０」の文字キーを操作すると、印字データ部エリア９２ａ，９２ｂのそれぞれの長さが４０ｍｍに設定される。次に、「折り部エリアの長さは？」の質問がディスプレイ装置７に表示される。これを視認した操作者がキー群７１の数字「１」、「０」の文字キーを操作すると、折り部エリア９３ａ，９３ｂのそれぞれの長さが１０ｍｍに設定される。ここで、同様な質問形式により文字フォント、文字の大きさ、文字間隔、二段書きにするか否か等を設定するように構成することができる。」
　
き．「【００３４】・・・第２に、印字データ部エリアの一方である９７ａに相当する部位に「電源」という文字を入力する。このように入力した文字は、機能キー６７等を用いてその文字方向を回転（横書きを縦書きに変更）させることができるようになっており、当該機能により文字「電源」を反時計方向へ９０度回転させることができる。・・・」
　
く．「【００３５】図７（Ｂ）は、「電源」という文字を印字したテープの他の例を示している。図７（Ｂ）で示したテープは、図７（Ａ）の例で説明したものとほぼ同じ操作によって印字可能であり、印字データ部エリア９７ｄ（前記の例における９７ｂに相当）にコピーした後、文字の向きを１８０度回転させたものである。このような操作をすることで、図７（Ｂ）に示すテープが作成される。・・・
【００３６】図７（Ｃ）は、「電源」という文字を印字したテープのさらに他の例を示している。図７（Ｃ）で示したテープは、図７（Ａ）の例で説明したものとほぼ同じ操作によって印字可能であり、印字データ部エリア９７ｅ（前記の例における９７ａに相当）に印字される文字の向きを前記と同様の操作により１８０度回転させたものである。このような操作をすることで、図７（Ｃ）に示すテープが作成される。」
　
け．図７の記載からは、テープの長さ方向に沿うように文字「電源」が印字されていることが看取できる。
　
　上記あ．〜う．には「テープ印字装置」とあるが、上記え．より、該装置は、ケーブルに巻き付けるラベルを作成する装置を含む。
　上記あ．より、印字データは、余白部エリアの左右の印字データ部エリアに印字される。
　
　上記か．より、上記あ．の「第１の設定手段」による「余白部エリア」及び「印字データ部エリア」の長さの設定は、操作者が長さの数値をキー入力してなされる。
　
　上記か．より、操作者のキー入力により、二段書きにすることができる。
　
　上記い．及びき．より、文字は９０度回転させることができるから、例えば、図７の文字「電源」は、ラベルの幅方向に沿うように印字することができることになる。
　
　上記う．及びく．より、文字は１８０度回転させることができる。
　
　上記お．より、テープ印字装置の「制御装置３１」は、余白部エリア長さ設定、印字データ部エリア長さ設定、文字の９０度回転、文字の１８０度回転（腹合わせ又は背合わせ）及び二段書き指定の機能を合わせ持つ。
　
　してみるに、引用例２には、以下の技術事項が記載されていると認められる。
「余白部エリアの左右の印字データ部エリアに、ラベルの長さ方向に沿うように文字を印字するケーブル用ラベル印字装置であって、余白部エリア長さ設定、印字データ部エリア長さ設定、文字の９０度回転、文字の１８０度回転（腹合わせ又は背合わせ）及び二段書き指定の機能を備えたケーブル用ラベル作成装置」（以下「引用技術」という。）
　
第６　対比 
　本願発明と引用発明とを比較する。
　引用発明の「コード」、「コードに巻き付けられるコード用ラベル」、「文字等の文書データよりなるテキストのテキストデータ」、「テキストメモリ」、「テキストデータのドットパターンデータ」、「ドットパターンデータ生成手段」、「直径値」、「各コードに巻き付けられるコード用ラベルの一部の形状に関する情報である巻代値」、「ＲＯＭ」、「前記ＲＯＭに記憶された複数のコードの直径値のいずれかに対応したコードがユーザによって選択されたときに」、「コード用ラベルの一部の形状に対応した巻代に隣接した巻代の両側」及び「コード用ラベルの一部の形状に対応した巻代に隣接した巻代の両側に、前記ドットパターンデータ生成手段が生成したドットパターンデータを印字するための印字制御手段」は、それぞれ、本願発明の「ケーブル状部材」、「ケーブル状部材に巻き付けられるケーブル用ラベル」、「文字列」、「文字列記憶手段」、「文字列の印刷イメージ」、「印刷イメージ生成手段」、「識別情報」、「各ケーブル状部材に巻き付けられるケーブル用ラベルの全体又はその一部の形状に関する情報である形状情報」、「ケーブル情報記憶手段」、「前記ケーブル情報記憶手段に記憶された複数のケーブル状部材の識別情報のいずれかに対応したケーブル状部材がユーザによって選択されたときに」、「ケーブル用ラベルの前記全体又はその一部の形状に対応した範囲内及びこの範囲に隣接した範囲内の少なくともいずれか一方」及び「ケーブル用ラベルの前記全体又はその一部の形状に対応した範囲内及びこの範囲に隣接した範囲内の少なくともいずれか一方に、前記印刷イメージ生成手段が生成した印刷イメージを配置するための印刷イメージ配置手段」に相当する。
　
　引用発明において「ケーブル状部材」（コード）を選択する者をユーザと呼べるから、引用発明の「コードが選択されたときに」は、本願発明の「ケーブル状部材がユーザによってコードが選択されたときに」に相当する。
　
　引用発明の「コード用ラベルの一部の形状に対応した巻代に隣接した巻代の両側に、前記ドットパターンデータ生成手段が生成したドットパターンデータを、コード用ラベルの長さ方向に沿うように２個配置する」は、「ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルに複数個配置する」点で、本願発明の「ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルの幅方向に沿うように複数個配置すると共に、これら複数個の印刷イメージ中に、配置方向が他と１８０°異なるものを少なくとも１個含ませる」と共通している。
　
　引用発明の「コード用ラベル作成装置」は、印字を制御する機能を有していることから、本願発明の「印刷制御装置」に相当する。
　
　すると、本願発明と引用発明とは、以下の点で一致し、以下の点で相違する。
＜一致点＞
「ケーブル状部材に巻き付けられるケーブル用ラベルに印刷されるべき文字列を記憶するための文字列記憶手段と、
　前記文字列記憶手段に記憶された文字列の印刷イメージを生成するための印刷イメージ生成手段と、
　複数のケーブル状部材について、識別情報と、各ケーブル状部材に巻き付けられるケーブル用ラベルの全体又はその一部の形状に関する情報である形状情報とを対応づけて記憶するためのケーブル情報記憶手段と、
　前記ケーブル情報記憶手段に記憶された複数のケーブル状部材の識別情報のいずれかに対応したケーブル状部材がユーザによって選択されたときに、
　ケーブル用ラベルの前記全体又はその一部の形状に対応した範囲内及びこの範囲に隣接した範囲内の少なくともいずれか一方に、前記印刷イメージ生成手段が生成した印刷イメージを配置するための印刷イメージ配置手段とを備え、
　前記印刷イメージ配置手段は、ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルに複数個配置する印刷制御装置。」
　
＜相違点１＞
　本願発明は「ケーブル情報記憶手段に記憶された当該選択されたケーブル状部材に対応するケーブル用ラベルの全体又はその一部の形状を微調整する微調整手段」を備えると特定され、その結果、印刷イメージを配置する領域が、「微調整手段が微調整したケーブル用ラベルの全体又はその一部の形状に対応した範囲内及びこの範囲に隣接した範囲内の少なくともいずれか一方」と特定されるのに対して、引用発明は微調整手段を備えているか否か明らかでない点。
　
＜相違点２＞
　「ケーブル用ラベルの前記全体又はその一部の形状に対応した範囲内及びこの範囲に隣接した範囲内の少なくともいずれか一方に含まれる印刷範囲内に、前記印刷イメージ生成手段が生成した印刷イメージを、ケーブル用ラベルに複数個配置する」点に関して、本願発明は「印刷イメージ生成手段が生成した印刷イメージを、ケーブル用ラベルの幅方向に沿うように複数個配置すると共に、これら複数個の印刷イメージ中に、配置方向が他と１８０°異なるものを少なくとも１個含ませる」と特定されるのに対して、引用発明は該特定を有しない点。
　
第７　判断
＜相違点１＞について
　ラベル印刷装置にもケーブルにも、当然製造誤差や装置使用中のオフセットが生じることが予想されるから、それを補償するための微調整ができることが望ましいことは自明の設計課題である。
　一方、引用技術は、引用発明と同じくケーブル（コード）用ラベル作成装置であって、引用発明のラベル巻代及びラベル巻代の両側部分にそれぞれ相当する余白部エリア及び印字データ部エリアの長さ設定機能を備えている。
　よって、引用発明において、本願発明の＜相違点１＞に係る構成を備えることは、引用発明に引用技術を適用することにより、当業者が容易になし得たことである。
　
＜相違点２＞について
（ｉ）テキストの文字をラベルの幅方向に沿うように表示するかラベルの長さ方向に沿うように表示するか、及びテキストの文字を１行で表示するか２行以上で表示するかは、文字数、フォント及び表示の見やすさ等を考慮して定めるべき設計事項にすぎない。
　一方、引用技術は、引用発明と同じくケーブル（コード）用ラベル作成装置であって、文字の９０度回転及び二段書き指定の機能を備えている。　
　よって、引用発明に引用技術を適用すれば、例えば、引用発明のラベルの長さ方向に沿ったテキストの文字を９０度回転させてラベルの幅方向に沿わせた後に二段書きとして、本願発明の＜相違点２＞に係る構成のうち「印刷イメージ生成手段が生成した印刷イメージを、ケーブル用ラベルの幅方向に沿うように複数個配置する」構成を備えさせることができる。
　
（ｉｉ）文字等を含む表示内容を上下どちらの方向からも判読できるように、表示内容に配置方向が他と１８０°異なるものを含ませることは慣用技術である。
　例えば、トランプの数字や絵記号は、トランプの上部と下部に上下逆方向に表記されている。
　また、本願の出願前に頒布された刊行物である特表２００３−５０２２４６号公報には、ロール紙の幅方向に、装着方向が正しいか正しくないかを示す語句を、交互に逆向きに印刷することが記載されている。特に、以下の記載参照。
「【請求項１】    ロール状の紙及びその他の材料の正しい排出方向の表示構造であって、
  方向が正しいか正しくないかを示す、上下が互いに逆向きになるように水平方向に記載された語句或いは矢印からなる２つの組が交互するように順次現われる列を設け、
  前記語句或いは矢印の組を前記ロールの包装紙に印刷したり、前記ロールに設けたりすることにより、
  前記ロールを装着する者が、前記ロールが正しい方向或いは誤った方向に装着されたかを目視して確認することができるようにしたことを特徴とする表示構造。」
　
　一方、引用技術は、引用発明と同じくケーブル（コード）用ラベル作成装置であって、文字の１８０度回転の機能を備えているから、上記（ｉ）で検討したとおり、引用発明に引用技術を適用して、本願発明の＜相違点２＞に係る構成のうち「印刷イメージ生成手段が生成した印刷イメージを、ケーブル用ラベルの幅方向に沿うように複数個配置する」構成を備えさせた際に、さらに引用技術の文字の１８０度回転機能を適用すれば、複数個の印刷イメージ中に、配置方向が他と１８０°異なるものを少なくとも１個含ませることができる。
　
　上記（ｉ）及び（ｉｉ）より、引用発明において、本願発明の＜相違点２＞に係る構成を備えることは、引用技術及び慣用技術に基づいて、当業者が容易に想到し得たことである。
　
まとめ
　上記「＜相違点１＞について」及び「＜相違点２＞について」より、引用発明において、本願発明の＜相違点１＞及び＜相違点２＞に係る構成を備えることは、引用技術及び慣用技術に基づいて、当業者が容易に想到し得たことである。
　また、該構成を備えることによる効果も、当業者が予測し得る程度のものである。
　よって、本願発明は、引用発明、引用技術及び慣用技術に基づいて、当業者が容易に発明をすることができたものである。
　
第８　むすび
　以上のとおり、本願発明は、引用発明、引用技術及び慣用技術に基づいて、当業者が容易に発明をすることができたものであり、特許法第２９条第２項の規定により特許を受けることができないから、本願の他の請求項について検討するまでもなく、本願は拒絶されるべきものである。 
　よって、結論のとおり審決する。